(57)【特許請求の範囲】
【請求項１】
呼び出し／通話機能を備えたインターホン子機と、通話機能を備えた複数のインターホン親機とが、互いに通信ネットワークを介して接続されたインターホンシステムであって、
前記インターホン子機は、呼出先の個々のインターホン親機に対してマルチキャストデータ伝送の可否を記憶する呼出種別記憶部を有し、
呼出操作が成されたら、前記呼出種別記憶部から個々のインターホン親機におけるマルチキャスト可否を読み取り、マルチキャスト不可のインターホン親機には個々にユニキャストで呼出信号及び映像信号を送信し、マルチキャスト可のインターホン親機にはユニキャストの呼出信号と共にマルチキャストで一括して映像信号を送信する呼出制御部を有することを特徴とするインターホンシステム。
【請求項２】
前記呼出制御部は、呼出先に設定されたインターホン親機に対してマルチキャストのダミー映像信号を送信し、その応答信号の有無でマルチキャストデータ伝送の可否を判断し、判断結果を前記呼出種別記憶部に記憶することを特徴とする請求項１記載のインターホンシステム。
【請求項３】
前記呼出制御部は、ユニキャストデータ伝送に設定されたインターホン親機の数が所定数に達したら、それを超える呼出先インターホン親機の追加を不可とすることを特徴とする請求項１又は２記載のインターホンシステム。
【発明の詳細な説明】
【技術分野】
【０００１】
本発明は、呼び出し／通話機能を備えたインターホン子機と通話機能を備えた複数のインターホン親機とを備えて、各機器が通信ネットワークを介して接続されたインターホンシステムに関する。
【背景技術】
【０００２】
従来より、呼び出し／通話機能を備えたインターホン子機と通話機能を備えた複数のインターホン親機とを備え、各機器がＬＡＮ等の通信ネットワークを介して接続されたインターホンシステムがある（例えば、特許文献１参照）。このように複数のインターホン親機を備えたシステムにおいては、複数のインターホン親機に対して同時に呼び出しを実施する場合、呼出信号と共に同一の映像信号で済むマルチキャストによる呼び出しが実施された。
尚、マルチキャストに対して、各インターホン親機に対してそれぞれ映像信号を送信するユニキャストによる呼び出しがあり、従来より実施されている。
【先行技術文献】
【特許文献】
【０００３】
【特許文献１】特開２０１３−４６２３３号公報
【発明の概要】
【発明が解決しようとする課題】
【０００４】
マルチキャストによる呼び出しは、複数のインターホン親機に対して単一の映像信号で呼び出しできるため、呼び出すインターホン親機の数が多数であっても、映像信号により回線が混雑するようなことが無く、スムーズな呼び出しを実施できた。
しかしながら、呼出先のインターホン親機がセキュリティの観点からファイヤーウォールを介して通信ネットワークに接続されている場合、マルチキャストによる映像信号が遮断されてしまう場合があった。この対策として、全ての呼び出しに対する映像信号の伝送をユニキャストで実施すればファイヤーウォールにより遮断されることは無くなるが、ユニキャストによる映像信号は個別に映像信号を送信する形態であるため、多数のインターホン親機を一斉に呼び出す場合、多数の映像信号送信により回線が輻輳して伝送路を共用している他の利用者に迷惑を与えてしまう問題が発生する。
【０００５】
そこで、本発明はこのような問題点に鑑み、呼出先のインターホン親機の中にマルチキャストによるデータ伝送を実施できないナースコール親機が存在しても、全てのナースコール親機に対してユニキャストによるデータ伝送を実施することなく少ない映像信号数で呼び出しを実施できるインターホンシステムを提供することを目的としている。
【課題を解決するための手段】
【０００６】
上記課題を解決する為に、請求項１の発明は、呼び出し／通話機能を備えたインターホン子機と、通話機能を備えた複数のインターホン親機とが、互いに通信ネットワークを介して接続されたインターホンシステムであって、インターホン子機は、呼出先の個々のインターホン親機に対してマルチキャストデータ伝送の可否を記憶する呼出種別記憶部を有し、呼出操作が成されたら、呼出種別記憶部から個々のインターホン親機におけるマルチキャスト可否を読み取り、マルチキャスト不可のインターホン親機には個々にユニキャストで呼出信号及び映像信号を送信し、マルチキャスト可のインターホン親機にはユニキャストの呼出信号と共にマルチキャストで一括して映像信号を送信する呼出制御部を有することを特徴とする。
この構成によれば、伝送路の途中にファイヤーウォールが設けられてマルチキャスト不可のインターホン親機が存在する場合であっても、マルチキャスト不可のインターホン親機に対してはユニキャストで映像信号を送信するため、映像信号が遮断されることがない。
そして、ユニキャストの映像信号はマルチキャストデータ伝送不可のナースコール親機のみ使用されるだけであり、映像信号数は最小限にとどめることができ、多数の映像信号により回線が輻輳する事態の防止に役立つ。
【０００７】
請求項２の発明は、請求項１に記載の構成において、呼出制御部は、呼出先に設定されたインターホン親機に対してマルチキャストのダミー映像信号を送信し、その応答信号の有無でマルチキャストデータ伝送の可否を判断し、判断結果を呼出種別記憶部に記憶することを特徴とする。
この構成によれば、作業者はダミー映像信号送信操作を実施する程度の作業で済み、個々のインターホン親機に対してマルチキャストデータ伝送の可否を設定する操作を必要としないため、作業者の負担を軽減できる。
【０００８】
請求項３の発明は、請求項１又は２に記載の構成において、呼出制御部は、ユニキャストデータ伝送に設定されたインターホン親機の数が所定数に達したら、それを超える呼出先インターホン親機の追加を不可とすることを特徴とする。
この構成によれば、伝送路の通信容量を加味して所定数を設定してそれ以上のインターホン親機の登録を不可とするため、伝送される映像信号数が伝送路の通信容量を超えて、回線が輻輳する事態を防止できる。
【発明の効果】
【０００９】
本発明によれば、伝送路の途中にファイヤーウォールが設けられてマルチキャスト不可のインターホン親機が存在する場合であっても、マルチキャスト不可のインターホン親機に対してはユニキャストで映像信号を送信するため、映像信号が遮断されることがない。
そして、ユニキャストの映像信号はマルチキャストデータ伝送不可のナースコール親機のみ使用されるだけであり、映像信号数は最小限にとどめることができ、多数の映像信号により回線が輻輳するような事態を防止するのに有効である。
【図面の簡単な説明】
【００１０】
【図１】本発明に係るインターホンシステムの一例を示す構成図であり、主要機器を回路ブロック図で示している。
【発明を実施するための形態】
【００１１】
以下、本発明を具体化した実施の形態を、図面を参照して詳細に説明する。図１は本発明に係るインターホンシステムの一例を示す構成図であり、主要機器を回路ブロック図で示している。１は呼び出し／通話機能を備えて訪問者が居住者を呼び出すためのインターホン子機（以下、単に「子機」と称する。）、２は通話機能を備えて前記子機１からの呼び出しに応答するためのインターホン親機（以下、単に「親機」と称する。）、３はファイヤーウォール、４はＬＡＮを示し、各機器はＬＡＮ接続されている。
【００１２】
尚、図１では、４台の親機（第１〜第４親機２ａ〜２ｄ）２を備えて、そのうち第３親機２ｃ及び第４親機２ｄがファイヤーウォール３を介してＬＡＮ４に接続されている。ファイヤーウォール３はマルチキャストの信号を遮断する機能を備えている。また、この図１では各機器をＬＡＮ接続した構成と成っているが、インターネット等のＷＡＮを介して各機器を接続しても良い。
【００１３】
子機１は、居住者を呼び出す呼出ボタン１１、呼出対象の親機２のＩＰアドレスと、それぞれの親機２に対するマルチキャストデータ伝送の可否を記憶する子機記憶部１２、通話するためのマイク１３及びスピーカ１４、子機１を制御する子機ＣＰＵ１５、ＬＡＮ４を介して親機２と通信する子機通信ＩＦ１６等を備えている。
【００１４】
親機２は、子機１からの呼び出しに応答するための通話ボタン２１、呼出元情報等を表示する親機ディスプレイ２２、通話するためのマイク２３及びスピーカ２４、親機２を制御する親機ＣＰＵ２５、ＬＡＮ４を介して子機１と通信する親機通信ＩＦ２６等を備えている。
【００１５】
上記の如く構成されたインターホンシステムの動作は以下の様である。訪問者により呼出ボタン１１が操作されて呼び出しが成されると、子機ＣＰＵ１５が子機記憶部１２から呼出対象の親機２のＩＰアドレス、及びそれぞれの親機２のマルチキャスト可否を読出す。例えば、図１では４台の親機２（２ａ〜２ｄ）が全て呼出対象である場合に、第３親機２ｃ及び第４親機２ｄはマルチキャスト不可と記憶され、この情報が読み出される。
この情報を基に、子機ＣＰＵ１５は第１〜第４の親機２にユニキャストで呼出信号を送信すると共に、第１親機２ａ及び第２親機２ｂに対して１つのマルチキャスト映像信号で映像データ送信を行ない、第３親機２ｃ及び第４親機２ｄにはそれぞれにユニキャスト映像信号を送信する。つまりこの実施例では、３つの映像信号が送信されることとなる。
【００１６】
その後、居住者により例えば第３親機２ｃの通話ボタン２１が操作されると、第３親機２ｃの親機ＣＰＵ２５が応答信号を生成して子機１へ送信する。
子機１では、応答信号を受けて子機ＣＰＵ１５の制御により応答操作した第３親機２ｃとの通話路を形成するとともに、他の親機（第１親機２ａ、第２親機２ｂ、及び第４親機２ｄ）２に対して、呼出終了信号を送信する。この結果、第３親機２ｃ以外の親機２での呼出音の鳴動は停止し、子機１と第３親機２ｃとの間で音声信号の送受が可能となる。即ち、通話路が形成されて訪問者と居住者の間で通話が可能となる。
その後、応答した居住者により、再度通話ボタン２１が操作されると、親機ＣＰＵ２５が通話路遮断信号を子機１に送信して通話路が遮断される。
【００１７】
このように、伝送路の途中にファイヤーウォール３が設けられてマルチキャスト不可の親機２が存在する場合であっても、マルチキャスト不可の親機２に対してはユニキャストで映像信号を送信するため、映像信号が遮断されることがない。
そして、ユニキャストの映像信号はマルチキャストデータ伝送不可の親機２のみ使用されるだけであるため、映像信号数は最小限にとどめることができ、多数の映像信号の送信により回線が輻輳するような事態の防止に役立つ。
【００１８】
次にマルチキャスト／ユニキャストの設定方法を説明する。子機記憶部１２への登録は、図示しない例えばパーソナルコンピュータから成る設定装置を子機１に接続して行われる。子機１の呼出対象となる親機２を設定する場合、或いは親機２が追加される場合、接続した設定装置により子機１に親機２のＩＰアドレスを登録する。
この登録操作を受けて、子機ＣＰＵ１５は入力された親機２のＩＰアドレスを子機記憶部１２に登録すると共に、登録された親機２に対してマルチキャスト信号である第１ダミー映像信号を送信する。ここでは、４台の親機２（２ａ〜２ｄ）が呼出対象として設定されるため、第１ダミー映像信号がこの４台の親機（２ａ〜２ｄ）に対して送信される。
尚、ダミー映像信号とは、子機ＣＰＵ１５が親機２との接続を確認するために呼出ボタン１１の操作を受けずに出力するテスト信号であり、この信号を受信した親機２はＡＣＫ信号を返信するが、呼出音等の鳴動や映像の出画は行わない。
【００１９】
第１ダミー映像信号の送信により、通信が正常であればそれぞれの親機２に信号が届き、ＡＣＫ信号が親機２から子機１に返信される。上記図１の場合、第１親機２ａ、第２親機２ｂには第１ダミー映像信号が到達するが、第３親機２ｃ、第４親機２ｄヘはファイヤーウォール３がマルチキャストを透過しないため、第３親機２ｃ、第４親機２ｄに第１ダミー映像信号は到達しない。
【００２０】
この結果、第１ダミー映像信号を受信した第１親機２ａ及び第２親機２ｂはＡＣＫ信号を返信し、このＡＣＫ信号を受信した子機ＣＰＵ１５は、マルチキャストデータ伝送を実施する親機２として第１親機２ａ及び第２親機２ｂを子機記憶部１２に登録する。
一方、第３親機２ｃ及び第４親機２ｄからはＡＣＫ信号が返信されないことで、子機ＣＰＵ１５は第３親機２ｃ、第４親機２ｄがマルチキャストが不可能な端末であると判断して第１ダミー映像信号をキャンセルし、改めてユニキャスト信号である第２ダミー映像信号を第３親機２ｃ、第４親機２ｄに対して送信する。
【００２１】
第３親機２ｃ、及び第４親機２ｄヘ送信された第２ダミー映像信号は、ファイヤーウォール３がユニキャストを透過することから第３親機２ｃ及び第４親機２ｄに到達し、それぞれの親機ＣＰＵ２５からＡＣＫ信号が返信される。
このＡＣＫ信号を受信した子機ＣＰＵ１５は、第３親機２ｃ及び第４親機２ｄがマルチキャストが不可能な端末であることを確認し、ユニキャストデータ伝送を実施する親機２として第３親機２ｃ及び第４親機２ｄを子機記憶部１２に登録する。
【００２２】
但し、子機記憶部１２にはマルチキャストデータ伝送を不可とする（ユニキャストデータ伝送を実施する）親機２の最大接続数（例えば、最大接続数を１０とする）が記憶されており、子機ＣＰＵ１５はユニキャストデータ伝送を実施する親機２を登録する際にこの設定値を参照して、登録の可否を判断する。ここでは、登録前の台数は０であり、第３親機２ｃ及び第４親機２ｄが登録されることで２台となり、１０台以下であるため登録される。
この上限値の設定により、第２ダミー映像信号に対するＡＣＫ信号が受信できた時点で、既に子機記憶部１２に１０台の親機２がマルチキャスト不可な親機２として登録されていた場合には、子機ＣＰＵ１５がこれ以上の登録を不可とし、設定装置に登録不可情報を送信する。
尚、設定される最大値は、機器を接続するＬＡＮ４の伝送容量等を加味してＬＡＮ４に負荷を与えない数値が選択される。
【００２３】
このように、作業者はダミー映像信号送信操作を実施する程度の作業で済み、個々の親機２に対してマルチキャストデータ伝送の可否を設定する操作を必要としないため、作業者の負担を軽減できる。
また、伝送路の通信容量を加味して所定数を設定してそれ以上の親機２の登録を不可とするため、伝送される映像信号数が伝送路の通信容量を超えて、回線が輻輳する事態を防止できる。
【００２４】
尚、上記実施形態ではマルチキャストによる映像信号を通過させないファイヤーウォール３が介在された場合を説明したが、ファイヤーウォールが設置されてもマルチキャストの映像信号が通過する場合はユニキャストデータ伝送を実施する必要がない。
【符号の説明】
【００２５】
１・・インターホン子機、２・・インターホン親機、３・・ＬＡＮ、４・・ファイヤーウォール、１１・・呼出ボタン、１２・・子機記憶部（呼出種別記憶部）、１５・・子機ＣＰＵ（呼出制御部）、２１・・通話ボタン、２５・・親機ＣＰＵ。
【図１】
0006005593.tif 000002